(57)【要約】【課題】磁性体として黒色酸化鉄粉を結束バンドに混入することにより、結束バンドの破片および破砕粉の回収を確実かつ容易にすることが可能な結束バンドを提供すること。【解決手段】食品の加工または医薬品の製造用配管に用いる配管同士の締め付けに用いられ、連続した係合段部を有するバンド部と、該バンド部を挿通係合可能なバックル部とを一体に形成してなる結束バンドにおいて、当該結束バンドがポリアミド樹脂、ポリエチレン樹脂またはポリプロピレン樹脂からなり、かつ黒色酸化鉄粉が混入されてなることを特徴とする。【選択図】図１
0003149839.tif 000002
【実用新案登録請求の範囲】
【請求項１】
食品の加工または医薬品の製造用配管に用いる配管同士の締め付けや、配管やケーブルの固定、紙袋やポリエチレン袋の封止に用いられ、連続した係合段部を有するバンド部と、該バンド部を挿通係合可能なバックル部とを一体に形成してなる結束バンドにおいて、当該結束バンドがポリアミド樹脂、ポリエチレン樹脂またはポリプロピレン樹脂からなり、かつ黒色酸化鉄粉が混入されてなることを特徴とする結束バンド。
【請求項２】
前記黒色酸化鉄粉のポリアミド樹脂、ポリエチレン樹脂またはポリプロピレン樹脂に対する配合率が２０〜５０重量％である請求項１記載の結束バンド。
【請求項３】
前記黒色酸化鉄粉の粒径が０．１〜１μｍである請求項１または２に記載の結束バンド。
【考案の詳細な説明】
【技術分野】
【０００１】
本考案は、結束バンドに関する。
【背景技術】
【０００２】
従来から、特許文献１に開示されるように、ものを結束したり、締め付けたりするために、鋸歯状の複数の係合段部を備えたバンド部と、該バンド部を挿入し得る挿入孔およびバンド部上の前記係合段部に係合する手段とを備えたバックル部と、から構成される結束バンドが用いられている。また、特許文献２には、可撓性のプラスチック締付片の結束バンドを利用して、電気配線や通信ケーブル等に巻き付けたり、ケーブル等を固定物に巻き付けることが開示されており、合成樹脂製の結束バンドが用いられている。これらの結束バンドは、ものを締め付けたり、留めたりするために、食品工場や医薬品工場においても用いられている。
【０００３】
一方、食品内への異物の混入が大きな問題となっている昨今、工場内では、仮に部品が一部なくなっただけでも、食品内への異物混入の可能性がある限りは、生産ラインをストップし、一日中、掃除や点検をしなければならない。また、掃除や点検をするために、生産ラインをストップし続けるわけにもいかず、異物混入の疑いが完全に晴れない状況で、生産ラインを再稼動せざるを得ない。異物が混入されて回収できずに出荷され、製品に異物が混入されていたことがわかった場合には、全製品を回収しなければならず、食品工場の異物混入に対するリスクを減らすことができる、食品の衛生上、安全性の高い結束バンドを提供することが、食品業界の長年の未解決の課題であった。また、同様の問題は、医薬品工場内でも発生するものであり、食品工場や医薬品工場における異物の混入を防ぐことができる結束バンドが求められている。
【先行技術文献】
【特許文献】
【０００４】
【特許文献１】実公平６−１５８６２号公報
【特許文献２】特開２００５−３１２２８１号公報
【考案の概要】
【考案が解決しようとする課題】
【０００５】
叙上のとおり、食品工場または医薬品工場等で用いられる結束バンドは、上記課題および長年の間未解決の課題である異物混入の問題に対して、強力な磁石で、磁性体を回収するという考えもあるが、磁性体に錆びが発生しても問題があり、実用化には至っていない。また、結束バンドの余分なバンド部は、はさみなどでカットするので、結束バンドの破片が、異物として食品内に混入してしまう可能性がある。
【０００６】
しかし、食品加工プラントの場合、プラントを定期的に停止して、結束バンドを目視により確認し、配管系統に配設された濾過器（strainer）によって異物を除去しているが、メッシュが大きければ異物がメッシュを通過し、異物の混入が避けられず、メッシュを小さくすると、配管中を流れる流体の抵抗になり、そのうえ、メッシュが目詰まりを起こすという問題がある。
【０００７】
そこで、本考案者は、鋭意検討の結果、黒色酸化鉄粉（鉄粉でありながらサビにくい）を、食品工場内または医薬品工場内で用いられる結束バンドに混入することにより、食品や医薬品に一端混入されても、安全であり、かつ磁性体として黒色酸化鉄粉を結束バンドに混入することにより、結束バンドの破片および破砕粉の回収を確実かつ容易にするという、従来にはない発想で、長年未解決であった課題を解決することが可能な結束バンドを提供することを目的とする。
【課題を解決するための手段】
【０００８】
本考案の結束バンドは、食品の加工または医薬品の製造用配管に用いる配管同士の締め付けや、配管やケーブルの固定、紙袋やポリエチレン袋の封止に用いられ、連続した係合段部を有するバンド部と、該バンド部を挿通係合可能なバックル部とを一体に形成してなる結束バンドにおいて、当該結束バンドがポリアミド樹脂、ポリエチレン樹脂またはポリプロピレン樹脂からなり、かつ黒色酸化鉄粉が混入されてなることを特徴とする。
【０００９】
また、前記黒色酸化鉄粉のポリアミド樹脂、ポリエチレン樹脂またはポリプロピレン樹脂に対する配合率が２０〜５０重量％であることが好ましい。
【００１０】
また、前記黒色酸化鉄粉の粒径が０．１〜１μｍであることが好ましい。
【考案の効果】
【００１１】
本考案によれば、結束バンドに、黒色酸化鉄粉が混入されているので、食品内に万が一結束バンドの破片が混入してしまった場合であっても、磁力により確実かつ容易に結束バンドの破片を回収することができる。また、確実に結束バンドの破片を回収することができるので、人的労力を減らすことができ、工場内で破片の紛失によりラインをストップする必要がなくなり、ラインをストップするリスクを大幅に減らすことができ、工場経営者、食品会社の精神的な負担をも大幅に減らすことができる。さらに、黒色酸化鉄粉を用いているので、金属探知機、Ｘ線センサによる異物の検知も可能である。
【図面の簡単な説明】
【００１２】
【図１】（ａ）および（ｂ）は本考案の結束バンドを示す図であり、（ｃ）は、本考案の結束バンドのバンド部の断面図である。
【図２】（ａ）および（ｂ）は本考案の結束バンドの使用状態を示す図である。
【考案を実施するための形態】
【００１３】
添付図面を参照しつつ本考案の結束バンドについて、以下に詳細に説明する。
【００１４】
図１（ａ）および（ｂ）は、本考案の結束バンドを示す図であり、図１（ｃ）は、本考案の結束バンドのバンド部の断面図であり、図２は本考案の結束バンドの使用状態を示す図である。
【００１５】
図１および図２に示されるように、本考案の結束バンド１は、連続した係合段部２１を有するバンド部２と、バンド部２を挿通係合可能なバックル部３とが一体に形成されてなる。結束バンド１において、バンド部２およびバックル部３とからなる結束バンド１はポリアミド樹脂、ポリエチレン樹脂またはポリプロピレン樹脂からなり、図１（ｃ）および図２（ｂ）に示されるように、黒色酸化鉄粉２２が混入されてなる。黒色酸化鉄粉２２は、バンド部２およびバックル部３の両方に混入される。黒色酸化鉄粉２２のポリアミド樹脂、ポリエチレン樹脂またはポリプロピレン樹脂に対する配合率は、２０〜５０重量％であることが好ましく、黒色酸化鉄粉２２の粒径は、０．１〜１μｍであることが好ましく、黒色酸化鉄粉２２は、結束バンド１内に均一に分散される。
【００１６】
黒色酸化鉄粉２２の粒径としては、０．１〜１μｍの範囲のものが採用されるため、粒径が非常に小さいため、樹脂に混ぜやすいという利点と、酸化しているため耐酸性があり、さびにくいという利点および結束バンド内に均一に分散するという利点があり、着磁性にすぐれ、磁力を受けやすいというさらなる利点がある。黒色酸化鉄粉は市販されているものを採用することができる。
【００１７】
また、黒色酸化鉄粉を用いているため、マグネットキャッチャーに充分に吸着されるだけでなく、金属探知機、Ｘ線センサでも混入した結束バンドの破片を検出することが可能である。
【００１８】
結束バンド１のバンド部２およびバックル部３の太さ、厚さ、係合段部２１等は、適宜変更することが可能であり、特に限定されることはない。
【００１９】
本考案の結束バンドに採用される樹脂としては、例えば、ポリアミド樹脂、ポリエチレン樹脂またはポリプロピレン樹脂のほか、エラストマーなどがある。
【００２０】
図２は、本考案の結束バンドの使用状態を示す図であり、使用前は、棒状の結束バンド１を結束対象に巻きつけ、バンド部２の一端をバックル部３に設けられた孔に挿通する。挿通後は、バンド部２が図２（ａ）のように余るので、余ったバンド部２をはさみなどでカットする。余分なバンド部２をカットすることにより、結束バンド１の破片が混入する可能性があるが、バンド部２およびバックル部３に均一に粉末状の黒色酸化鉄粉２２が混入されているので、万が一結束バンド１の破片が食品や医薬品に混入した場合でも、マグネットキャッチャー、金属探知機、Ｘ線センサのいずれかによって、確実に食品内、医薬品内への異物の混入を検出することが可能である。
【符号の説明】
【００２１】
１  結束バンド
２  バンド部
３  バックル部
２１  係合段部
２２  黒色酸化鉄粉
【図１】
0003149839.tif 000003
【図２】
0003149839.tif 000004